(57)【要約】【課題】ショーケースの庫内敷設した冷気循環ダクトの仕切り部材について、軽量，低コスト，取扱い性に優れたダクト仕切り部材およびその取付け構造を提供する。【解決手段】ケース本体の外箱１と内箱２との間に冷気循環ダクト３を画成し、該ダクトを通じて庫内に冷気を循環送風して陳列商品を保冷するショーケースで、前記外箱の底部に冷却器５，送風ファン６を配備した上で、その上方に庫内底面を覆って冷気循環ダクトとのとの間を仕切るダクト仕切り部材７を敷設したものにおいて、ダクト仕切り部材を折り畳み可能な部材で構成するものとし、具体的には柔軟性のプラスチックシート８の一端をケース本体の内箱背壁２ｂに固定し、他端を前壁２ａにフレーム９，マグネット１０を介して係脱可能に固定して展延状態に敷設する。【選択図】図１
2007195843.tif 000002
【特許請求の範囲】
【請求項１】
断熱筐体になるケース本体の外箱と内箱との間に冷気循環ダクトを画成し、該ダクトを通じて庫内に冷気を循環送風して陳列商品を保冷するショーケースであり、前記外箱の底部に冷却器，送風ファンを配備した上で、その上方に庫内底面を覆って冷気循環ダクトとのとの間を仕切るダクト仕切り部材を敷設したものにおいて、
前記ダクト仕切り部材を折り畳み可能なシート部材で構成したことを特徴とするショーケース。
【請求項２】
請求項１に記載のショーケースにおいて、ダクト仕切り部材が柔軟性材質のシートであることを特徴とするショーケース。
【請求項３】
請求項２に記載のショーケースにおいて、シートの一端をケース本体の庫内背壁に固定し、他端を庫内前壁に係脱可能に固定して展延状態に敷設したことを特徴とするショーケース。
【発明の詳細な説明】
【技術分野】
【０００１】
本発明は、冷気循環式の平型，ないし多段型ショーケースに関し、詳しくはケース本体の庫内底部に敷設して冷気循環ダクトとの間を仕切るダクト仕切り部材およびその取付け構造に係わる。
【背景技術】
【０００２】
周知のように頭記の冷気循環式ショーケースは、断熱筐体になるケース本体の外箱と内箱との間に冷気循環ダクトを画成し、該ダクトを通じて庫内に冷気を循環送風して陳列商品を保冷するものであり、船底と呼ばれる外箱の底部に冷却器（冷凍機のエバポレータ）および送風ファンを配置した上で、その上方にはデッキパンと称する鋼板，あるいはプラスチックボードで作られた仕切り板を敷設して商品を陳列する庫内空間と冷気が通風するダクトとの間を仕切るようにしている（例えば、特許文献１参照）。
【特許文献１】特開平１０−７５８５５号公報
【発明の開示】
【発明が解決しようとする課題】
【０００３】
ところで、前記した従来構造のデッキパンは取扱い面で次記のような難点がある。すなわち、ショーケースの現地据付け施工時、あるいはケース本体の船底内部の清掃、冷却器，送風ファンを保守点検するなどメンテナンス時にはデッキパンを取り外す必要があるが、鋼板，プラスチックボードで作られたデッキパンは重量が重く、その着脱の取扱いには労力と手間を要することから、その改善策が要望されている。
【０００４】
そこで、従来のショーケースでは特許文献１に開示されているようにデッキパンを取扱い易いように複数枚の把手付きパンに分け、また隣接するデッキパンの間の隙間を塞ぐようにデッキパンの側縁にガスケットを設けるなどの対策を講じているが、その加工費を含めてデッキパンがコスト高となる問題がある。
【０００５】
本発明は上記の点に鑑みなされたものであり、ショーケースの庫内底部に敷設したダクト仕切り部材について、従来の鋼板，プラスチックボード製のデッキパンと比べて軽量，低コストで、取扱い性に優れた効果を発揮するダクト仕切り部材およびその取付け構造を提供することを目的とする。
【課題を解決するための手段】
【０００６】
上記目的を達成するために、本発明によれば、断熱筐体になるケース本体の外箱と内箱との間に冷気循環ダクトを画成し、該ダクトを通じて庫内に冷気を循環送風して陳列商品を保冷するショーケースで、前記外箱の底部に冷却器，送風ファンを配備した上で、その上方に庫内底面を覆って冷気循環ダクトとのとの間を仕切るダクト仕切り部材を敷設したものにおいて、
前記ダクト仕切り部材を折り畳み可能な部材で構成するものとし（請求項１）、具体的には次記のような態様で実現する。
（１）前記ダクト仕切り部材を柔軟性のシート材で構成する（請求項２）。
（２）前記シート材の一端をケース本体の庫内背壁に固定し、他端を庫内前壁に係脱可能に固定して展延状態に敷設する（請求項３）。
【発明の効果】
【０００７】
上記の構成によれば、ショーケースの現地据付け施工時、あるいはケース本体の船底内部の清掃、冷却器，送風ファンを保守点検するなどメンテナンス時に、ダクト仕切り部材を小さく折り畳んで庫内の隅に寄せておくことにより、その都度ダクト仕切り部材を外して庫外に取り出す手間を省き、庫内に残したまま前記作業を楽に行うことができる。
【０００８】
また、ショーケースを稼働状態に戻す際には、小さく折り畳んでいたダクト仕切り部材を広げた上で、その前後両端を庫内の前壁，背壁の間にまたがって敷設することで、従来のデッキパンと同様な機能を果たして庫内に冷気を循環送風させることができる。
【０００９】
しかも、このダクト仕切り部材に柔軟なシート材（例えば、プラスチックシート）を採用することで、軽量，低コスト化が図れる。
【発明を実施するための最良の形態】
【００１０】
以下、平型ショーケースを例に、本発明の実施の形態を図１（ａ），（ｂ）および図２に示す実施例に基づいて説明する。
【００１１】
各図において、１は上面開放形の断熱筐体になるケース本体の外箱、２は内箱、３は外箱１と内箱２との間に画成した冷気循環ダクト、３ａは冷気吹出口、３ｂは冷気吸込口、４は内箱２の前壁２ａと背壁２ｂとの間に架設した商品陳列棚、５は外箱の底部に配備した冷却器（冷凍機のフィン・チューブ形エバポレータ）、６は冷却器５の上流側に並設した送風ファン、７は従来のデッキパンに対応する本発明のダクト仕切り部材であり、図1（ａ）においてショーケースの運転時には図示矢印のように冷気流が循環して庫内に陳列した商品を保冷することは周知の通りである。
【００１２】
ここで、ダクト仕切り部材７は、庫内底部の全面を覆うサイズに裁断した柔軟性のあるプラスチックシート８で作られており、その後端縁を内箱の背壁２ｂの下部に重ね合わせて固定している。また、シートの前端縁には帯状のフレーム９を取り付けるとともに、このフレーム９の下面にシート状のマグネット１０を貼着している。
【００１３】
そして、図１に示すショーケースの稼働状態では、前記フレーム９と一緒にシート８を庫内底面に展延させた上で、マグネット１０を内箱２の前壁（鋼板）２ａの下端側に屈曲形成したフランジ面２ａ−１に吸着させてシート８を図示のように内箱２の前壁２ａと背壁２ｂとの間に跨がって張架し、これで冷却器５，送風ファン６を経由する冷気循環ダクト３の底部側通風路とその上方の庫内空間との間を仕切るようにしている。
【００１４】
一方、ショーケースの据付け施工時，あるいは外箱底部の清掃，冷却器５，送風ファン６の保守点検時には、図２で示すように商品陳列棚４を取り外した上で、ダクト仕切り部材７のシート８を庫内の後部に小さく畳んでおく。これにより、従来のデッキパンのように手間をかけて庫外に取り出すことなく、シート８を庫内に残したまま作業を支障なく行うことができる。また、作業終了後にショーケースを稼働状態に戻すには、畳んであったシート８を図１のように広げて内箱２の前壁２ａと背壁２ｂとの間に張架する。
【００１５】
なお、図示実施例は、ダクト仕切り部材７をプラスチックシート８で構成しているが、プラスチックシートの代わりに、布，不織布を素材としたシート，さらには例えば風呂の蓋のような折り畳み式シャッター板を採用することもできる。
【図面の簡単な説明】
【００１６】
【図１】本発明実施例の構成図で、（ａ）は運転状態を表すショーケース全体の構成断面図、（ｂ）は（ａ）におけるＡ部の詳細な斜視図
【図２】図１におけるダクト仕切り部材を折り畳んだ状態を表す図
【符号の説明】
【００１７】
１    ケース本体の外箱
２    内箱
２ａ  前壁
２ｂ  背壁
３    冷気循環ダクト
４    商品陳列棚
５    冷却器
６    送風ファン
７    ダクト仕切り部材
８    プラスチックシート
９    フレーム
１０    マグネット
【図１】
2007195843.tif 000003
【図２】
2007195843.tif 000004